(57)【要約】【課題】脚部への取付けが簡単であり、初期の取付け位置を維持した状態で設置可能である害虫駆除部材及び害虫駆除部材用支持具を提供する。【解決手段】第１の害虫駆除部１１の一端にヒンジ部１２を介して連結された第２の害虫駆除部１３と、他端にヒンジ部１４を介して連結された第３の害虫駆除部１５と、これらの害虫駆除部１１、１３及び１５の外周部に沿って形成された虫返し部１６〜１８を有する本体１０と、一端が本体１０に設けられ、他端が設置面に載置されて本体１０を支持する支持部５０を備え、本体１０は、第２の害虫駆除部１３の自由端１３Ｆと第３の害虫駆除部１５の自由端１５Ｆとを係合させた際に略リング状をなし、その略中央部に挿入された脚部２００を把持することで脚部２００に設置され、係合を解除した際に、自由端１３Ｆと自由端１５Ｆとの間の隙間を介して脚部２００から取り外される。【選択図】図１
2008061558.tif 000002
【特許請求の範囲】
【請求項１】
対象物の脚部に設置され、当該対象物内に害虫が侵入することを防止する害虫駆除部材であって、
第１の害虫駆除部と、前記第１の害虫駆除部の一端にヒンジ部を介して連結された第２の害虫駆除部と、前記第１の害虫駆除部の他端にヒンジ部を介して連結された第３の害虫駆除部と、前記第１の害虫駆除部、第２の害虫駆除部及び第３の害虫駆除部の外周部に沿って形成され、前記害虫の侵入経路を強制的に変更し、当該侵入経路に沿って前進する害虫を落下あるいは前進を停止させる虫返し部と、を備えた本体と、
一端が、前記本体に設けられ、他端が、前記脚部が設置される設置面に載置され、当該本体を支持する支持部と、
を備え、
前記本体は、前記第２の害虫駆除部の自由端と第３の害虫駆除部の自由端とを係合させて閉状態にした際に略リング状をなすと共に、その略中央部に形成された開口部を画定する内壁で前記脚部を把持することで、当該脚部に設置され、前記係合を解除した際に、前記第２の害虫駆除部の自由端と第３の害虫駆除部の自由端との間に形成される隙間を介して前記脚部から取り外される害虫駆除部材。
【請求項２】
前記支持部の一端は、前記本体に形成された開口部の外周近傍に設けられてなる請求項１記載の害虫駆除部材。
【請求項３】
前記支持部を複数備え、当該各々の支持部は、前記本体の周方向に互いに間隔をおいて設けられてなる請求項１または請求項２記載の害虫駆除部材。
【請求項４】
前記本体及び前記支持部は、害虫駆除成分が含有された樹脂から形成されてなる請求項１ないし請求項３のいずれか一項に記載の害虫駆除部材。
【請求項５】
前記本体は、害虫駆除成分が含有された樹脂から形成され、前記支持部は、当該本体とは別部材から形成されてなる請求項１ないし請求項３のいずれか一項に記載の害虫駆除部材。
【請求項６】
前記支持部は、前記本体に対し着脱可能に設けられる請求項１ないし請求項５のいずれか一項に記載の害虫駆除部材。
【請求項７】
前記支持部は、前記本体と一体的に形成されてなる請求項１ないし請求項４のいずれか一項に記載の害虫駆除部材。
【請求項８】
対象物の脚部に設置され、且つ、第１の害虫駆除部と、当該第１の害虫駆除部の一端にヒンジ部を介して連結された第２の害虫駆除部と、前記第１の害虫駆除部の他端にヒンジ部を介して連結された第３の害虫駆除部と、を備え、前記第２の害虫駆除部の自由端と第３の害虫駆除部の自由端とを係合させて閉状態にした際に略リング状をなすと共に、その略中央部に形成された開口部を画定する内壁で前記脚部を把持することで、当該脚部に設置され、前記係合を解除した際に、前記第２の害虫駆除部の自由端と第３の害虫駆除部の自由端との間に形成される隙間を介して前記脚部から取り外され、且つ、前記第１の害虫駆除部、第２の害虫駆除部及び第３の害虫駆除部の外周部には、前記害虫の侵入経路を強制的に変更し、当該侵入経路に沿って前進する害虫を落下あるいは前進を停止させる虫返し部が形成されてなり、前記対象物内に害虫が侵入することを防止する害虫駆除部材を支持する害虫駆除部材用支持具であって、
一端が、前記害虫駆除部材に形成された開口部の外周近傍に設けられ、他端が、前記脚部が設置される設置面に載置され、当該害虫駆除部材を当該設置面に対して支持する害虫駆除部材用支持具。
【請求項９】
前記害虫駆除部材に、着脱可能に設けられる請求項８記載の害虫駆除部材用支持具。
【請求項１０】
少なくとも前記一端側が弾性変形可能であり、当該一端側は、その弾性復元力により、前記害虫駆除部材に形成された係止部に係止され、且つ弾性変形することにより、前記係止が解除される請求項９記載の害虫駆除部材用支持具。
【発明の詳細な説明】
【技術分野】
【０００１】
本発明は、建物や各種機器のハウジング等の様々な対象物の脚部に設置され、当該対象物内に害虫が侵入することを防止すると共に、害虫を駆除する害虫駆除部材、及びこの害虫駆除部材を前記脚部に設置した際に、その位置を維持するよう支持する害虫駆除部材用支持具に関する。
【背景技術】
【０００２】
従来から、例えば、ゴキブリ、蟻、クモ、ムカデ等の昆虫等や、ネズミ等の小動物等（以下、このような昆虫や小動物等を総称して「害虫」と記す）が、建物や各種機器等、様々な対象物内に侵入することを防止する害虫駆除部材が紹介されている。このような害虫駆除部材として、例えば、害虫駆除成分が含有された樹脂から構成され、害虫から保護すべき対象物に取付けることにより、害虫駆除部材から徐々に放出される害虫駆除成分の効果によって、前記対象物を害虫から保護するものが紹介されている。（例えば、特許文献１参照）。
【０００３】
また、害虫駆除成分が含有された樹脂から構成され、略三角錐形状を有し、果実やナッツ等の作物が実る植物の幹に取付けると、その略三角錐形状と害虫駆除成分との相加効果により、様々な害虫、特にファイヤーアント（the red imported fire ants）が、地面から幹を伝って這い上がってくることを阻止し、作物に対する被害を防止する害虫駆除部材も紹介されている。（例えば、特許文献２参照）。
【０００４】
また、例えば、自動販売機や食器洗浄機等のような機器の内部に蟻やゴキブリ等の害虫が進入すると、これが機器の電気系統の故障の原因となったり、機器内の飲食物や食器や容器等に害虫が付着する等の虞がある。そして、これら殆どの害虫は、地面や床に接地されている機器の脚部を伝い、機器の内部に侵入することから、機器の脚部に取付けて使用するタイプの害虫駆除部材が望まれている。
【特許文献１】特開２００４−３５７５５３号公報
【特許文献２】ＵＳ２００２／０１３９０６１号公報
【発明の開示】
【発明が解決しようとする課題】
【０００５】
機器の脚部に取付けて使用する従来の害虫駆除部材は、例えば、害虫駆除部材を脚部に取付けて固定するための固定手段を用いて当該脚部に設置されたり、害虫駆除部材に脚部を把持する把持部を形成し、当該把持部の把持力によって当該脚部に設置される等、様々な取付け方法により機器の脚部に設置されている。
【０００６】
ここで、害虫駆除部材自身の把持力によって機器の脚部に設置される害虫駆除部材は、固定手段等のような追加の部材を使用することなく、害虫駆除部材を機器の脚部に直接取付けられるため、取付けが簡単であるが、前記把持力の強度によっては、使用中に、初期の取付け位置から下方にずれる、あるいは落下する虞がある。特に、上方から下方に向けて細くなる形状を有している脚部に害虫駆除部材を取付けた場合、この現象が起こる可能性が高くなる。そして、脚部に取付けた害虫駆除部材が、初期の取付け位置から下方にずれる、あるいは落下した場合、害虫の侵入を十分に防止することができなくなる虞もある。
【０００７】
本発明は、このような事情に鑑みなされたものであり、対象物の脚部への取付けが簡単であると共に、初期の取付け位置を維持した状態で前記脚部に設置可能である害虫駆除部材、及び害虫駆除部材用支持具を提供することを目的とする。
【課題を解決するための手段】
【０００８】
この目的を達成するため本発明は、対象物の脚部に設置され、当該対象物内に害虫が侵入することを防止する害虫駆除部材であって、第１の害虫駆除部と、前記第１の害虫駆除部の一端にヒンジ部を介して連結された第２の害虫駆除部と、前記第１の害虫駆除部の他端にヒンジ部を介して連結された第３の害虫駆除部と、前記第１の害虫駆除部、第２の害虫駆除部及び第３の害虫駆除部の外周部に沿って形成され、前記害虫の侵入経路を強制的に変更し、当該侵入経路に沿って前進する害虫を落下あるいは前進を停止させる虫返し部と、を備えた本体と、一端が、前記本体に設けられ、他端が、前記脚部が設置される設置面に載置され、当該本体を支持する支持部と、を備え、前記本体は、前記第２の害虫駆除部の自由端と第３の害虫駆除部の自由端とを係合させて閉状態にした際に略リング状をなすと共に、その略中央部に形成された開口部を画定する内壁で前記脚部を把持することで、当該脚部に設置され、前記係合を解除した際に、前記第２の害虫駆除部の自由端と第３の害虫駆除部の自由端との間に形成される隙間を介して前記脚部から取り外される害虫駆除部材を提供するものである。
【０００９】
この構成を備えた害虫駆除部材は、対象物の脚部が設置される設置面に対し、本体が支持部によって支持されるため、害虫駆除部材を前記脚部に取付けた際に、当該害虫駆除部材が、その取付け位置から下方にずれたり、落下することがない。したがって、太さが一定の脚部は勿論のこと、例えば、上方から下方に向けて細くなる形状の脚部に害虫駆除部材を設置する場合であっても、初期の取付け位置を維持した状態で設置することができ、害虫の侵入を効率よく防止することができる。また、この害虫駆除部材は、前記支持部により支持されると共に、前記開口部を画定する内壁で前記脚部を把持することで、当該脚部に設置されるため、脚部に簡単に設置することができる。
【００１０】
また、本発明にかかる害虫駆除部材は、前記支持部の一端を前記本体に形成された開口部の外周近傍に配設することができる。このようにすることで、仮に、害虫が当該支持部を這い上がって本体に到達したとしても、この本体に到達した害虫は、さらに前進することで虫返し部に到達するため、ここで落下、あるいは前進が停止させられることになる。したがって、前記利点に加え、害虫が対象物に侵入することをさらに効率よく防止することができる。
【００１１】
そしてまた、本発明にかかる害虫駆除部材は、前記支持部を複数備え、当該各々の支持部を、前記本体の周方向に互いに間隔をおいて設けることもできる。
【００１２】
さらにまた、本発明にかかる害虫駆除部材は、前記本体及び前記支持部を、害虫駆除成分が含有された樹脂から形成することもできる。このようにすることで、前記利点に加え、害虫が支持部を這い上がることを防止することができる。また、本発明にかかる害虫駆除部材は、前記本体を害虫駆除成分が含有された樹脂から形成し、前記支持部を当該本体とは別部材から形成してもよい。そしてまた、前記支持部は、前記本体に対し着脱可能に設けることもできる。また、本発明にかかる害虫駆除部材は、前記支持部を前記本体と一体的に形成してもよい。
【００１３】
また、本発明は、対象物の脚部に設置され、且つ、第１の害虫駆除部と、当該第１の害虫駆除部の一端にヒンジ部を介して連結された第２の害虫駆除部と、前記第１の害虫駆除部の他端にヒンジ部を介して連結された第３の害虫駆除部と、を備え、前記第２の害虫駆除部の自由端と第３の害虫駆除部の自由端とを係合させて閉状態にした際に略リング状をなすと共に、その略中央部に形成された開口部を画定する内壁で前記脚部を把持することで、当該脚部に設置され、前記係合を解除した際に、前記第２の害虫駆除部の自由端と第３の害虫駆除部の自由端との間に形成される隙間を介して前記脚部から取り外され、且つ、前記第１の害虫駆除部、第２の害虫駆除部及び第３の害虫駆除部の外周部には、前記害虫の侵入経路を強制的に変更し、当該侵入経路に沿って前進する害虫を落下あるいは前進を停止させる虫返し部が形成されてなり、前記対象物内に害虫が侵入することを防止する害虫駆除部材を支持する害虫駆除部材用支持具であって、一端が、前記害虫駆除部材に形成された開口部の外周近傍に設けられ、他端が、前記脚部が設置される設置面に載置され、当該害虫駆除部材を当該設置面に対して支持する害虫駆除部材用支持具を提供するものである。
【００１４】
この構成を備えた害虫駆除部材用支持具は、対象物の脚部に取付けられた害虫駆除部材を、前記脚部が設置される設置面に対し支持することができる。したがって、太さが一定の脚部は勿論のこと、例えば、上方から下方に向けて細くなる形状の脚部に害虫駆除部材を設置する場合であっても、初期の取付け位置を維持した状態で設置することができる。したがって、害虫が対象物に侵入することを、常に効率よく防止することができる。また、本発明にかかる害虫駆除部材用支持具は、害虫駆除部材に形成された開口部の外周近傍に配設されるため、仮に、害虫が害虫駆除部材用支持具を這い上がって害虫駆除部材に到達したとしても、この害虫は、さらに前進することで虫返し部に到達することになる。したがって、害虫は、ここで落下、あるいは前進が停止させられることになり、害虫が対象物に侵入することをさらに効率よく防止することができる。
【００１５】
また、本発明にかかる害虫駆除部材用支持具は、前記害虫駆除部材に、着脱可能に設けることができる。この場合、害虫駆除部材用支持具は、少なくとも前記一端側が弾性変形可能であり、当該一端側は、その弾性復元力により、前記害虫駆除部材に形成された係止部に係止され、且つ弾性変形することにより、前記係止が解除される構成とすることができる。このようにすることで、害虫駆除部材用支持具を害虫駆除部材に簡単に着脱することができる。
【発明の効果】
【００１６】
本発明にかかる害虫駆除部材は、一端が本体に設けられると共に、他端が前記脚部の設置面に載置されてなる支持部を有し、この支持部によって本体を支持すると共に、前記開口部を画定する内壁で前記脚部を把持することで、当該脚部に設置される。したがって、前記脚部に取付けられた際に、初期の取付け位置を維持した状態で前記脚部に簡単に設置することができ、害虫が対象物に侵入することを、常に効率よく防止することができる。
【００１７】
また、本発明にかかる害虫駆除部材用支持具は、害虫駆除部材に形成された開口部の外周近傍に配設され、対象物の脚部に取付けられた害虫駆除部材を、前記脚部が設置される設置面に対し支持することができる。したがって、初期の取付け位置を維持した状態で害虫駆除部材を脚部に設置しておくことができ、害虫が対象物に侵入することを効率よく防止することができる。
【発明を実施するための最良の形態】
【００１８】
次に、本発明の好適な実施の形態にかかる害虫駆除部材及び害虫駆除部材用支持具について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。また、本実施の形態では、害虫駆除部材を、自動販売機の脚部に設置する場合を例にとって説明する。
【００１９】
図１は、本発明の実施の形態にかかる害虫駆除部材の斜視図であって、第２の害虫駆除部の自由端と第３の害虫駆除部の自由端とを係合させて閉状態にした図、図２は、本発明の実施の形態にかかる害虫駆除部材の斜視図であって、第２の害虫駆除部の自由端と第３の害虫駆除部の自由端との係合を解除して開状態にした図、図３は、本発明の実施の形態にかかる害虫駆除部材の背面図であって、第２の害虫駆除部の自由端と第３の害虫駆除部の自由端とを係合させて閉状態にした図、図４は、図３に示す害虫駆除部材の側面図、図５は、本発明の実施の形態にかかる害虫駆除部材の背面図であって、第２の害虫駆除部の自由端と第３の害虫駆除部の自由端との係合を解除して開状態にした図、図６は、図５に示す害虫駆除部材の側面図、図７は、図３に示すVII−VII線に沿った一部を示す断面図、図８は、本発明の実施の形態にかかる害虫駆除部材を脚部に設置した状態を示す斜視図、図９は、本発明の実施の形態にかかる害虫駆除部材を脚部に設置する途中の状態を示す斜視図、図１０は、本発明の実施の形態にかかる害虫駆除部材の構成要素である支持部の側面図である。
【００２０】
図１〜図１０に示すように、本実施の形態にかかる害虫駆除部材１は、略リング状を有する本体１０と、本体１０に配設される支持部５０とを備えて構成されている。
【００２１】
本体１０は、平面視で略半円形状の第１の害虫駆除部１１と、第１の害虫駆除部１１の一方の外周端にヒンジ部１２を介して連結されると共に、平面視で略扇状の第２の害虫駆除部１３と、第１の害虫駆除部１１の他方の外周端にヒンジ部１４を介して連結されると共に、平面視で略扇状の第３の害虫駆除部１５と、第１の害虫駆除部１１の円弧状の外周縁に沿って形成され、第１の害虫駆除部１１から略垂直方向に延出した虫返し部１６と、第２の害虫駆除部１３の円弧状の外周縁に沿って形成され、第２の害虫駆除部１３から略垂直方向に延出した虫返し部１７と、第３の害虫駆除部１５の円弧状の外周縁に沿って形成され、第３の害虫駆除部１５から略垂直方向に延出した虫返し部１８と、を備えて構成されている。
【００２２】
また、本体１０は、第２の害虫駆除部１３の自由端１３Ｆと、第３の害虫駆除部１５の自由端１５Ｆとを係合させて連結し、閉状態（図１及び図３に示す状態）にした際に、平面視で、その中央部に開口部１９が形成される略リング状を有している。そして、第２の害虫駆除部１３の自由端１３Ｆとは反対側の内周端と、第３の害虫駆除部１５の自由端１５Ｆとは反対側の内周端は、第２の害虫駆除部１３の内壁面２３と第３の害虫駆除部１５の内壁面２５と共に開口部１９を画定する弾性変形可能な円弧状連結部２４によって連結されている。なお、この開口部１９には、図８及び図９に示すように、自動販売機の脚部２００が挿入されるようになっており、この開口部１９に挿入された脚部を内壁面２３及び２５と円弧状連結部２４とによって把持することで、害虫駆除部材１を脚部２００に設置するようになっている。
【００２３】
第１の害虫駆除部１１の内周部２６は、開口部１９の一部に相補した円弧状を有している。第１の害虫駆除部１１の背面には、特に図３及び図５に示すように、円弧状連結部２４に形成された後に詳述する係合爪３４及び３５と各々係合する係合爪３６及び３７が形成されている。また、係合爪３４と係合爪３５との間には、円弧状連結部２４に形成された後に詳述するガイド片３９を両側から支持する一対の支持壁４０Ａ及び４０Ｂが形成されている。
【００２４】
第２の害虫駆除部１３の自由端１３Ｆには、第３の害虫駆除部１５の自由端１５Ｆに形成された係合爪４２が係合する係合孔４３が形成されている。また、第２の害虫駆除部１３の円弧状連結部２４との接続部側且つ内壁面２３側には、後に詳述する支持脚５１の先端５３Ａ及び５３Ｂを各々係止する係止部４５Ａ及び４５Ｂが形成されている。この係止部４５Ａ及び４５Ｂは、同じ形状を有しており、図７に示すように、第２の害虫駆除部１３の円弧状連結部２４との接続部側且つ内壁面２３側に、他の部分よりも肉厚が厚く形成された部分に、螺旋状の溝４７Ａ（４７Ｂ）を形成し、その奥部に、先端５３Ａ及び５３Ｂと係合する係合爪４９Ａ（４９Ｂ）が形成された構成を備えている。そして、この係止部４５Ａ及び４５Ｂに支持脚５１の先端５３Ａ及び５３Ｂを係止させる際は、先端５３Ａ（５３Ｂ）を、螺旋状の溝４７Ａ（４７Ｂ）を画定する傾斜面４８Ａ（４８Ｂ）に沿って（倣って）奥部に侵入させ、係合爪４９Ａ（４９Ｂ）と係合させればよい。
【００２５】
第３の害虫駆除部１５の自由端１５Ｆには、第２の害虫駆除部１３の自由端１３Ｆに形成された係合孔４３に挿入されて係合孔４３と係合する係合爪４２が形成されている。また、第３の害虫駆除部１５の円弧状連結部２４との接続部側且つ内壁面２５側には、後に詳述する支持脚５２の先端５４Ａ及び５４Ｂを各々係止する係止部４６Ａ及び４６Ｂが形成されている。なお、係止部４６Ａ及び４６Ｂは、係止部４５Ａ及び４５Ｂと同様の形状を有しているため、その説明は省略する。
【００２６】
なお、虫返し部１６〜１８は、害虫駆除部材１が脚部２００に設置された際に、脚部２００を伝わって侵入する害虫の侵入経路を強制的に変更し、当該侵入経路に沿って前進する害虫を落下あるいは前進を停止させることで、自動販売機内に害虫が侵入することを防止するものである。
【００２７】
円弧状連結部２４は、その略中央部に、第１の害虫駆除部１１に向けて延出した係合爪３４及び３５が、互いに周方向に間隔をおいて形成されている。また、円弧状連結部２４の係合爪３４と係合爪３５との間には、ヒンジ部１２及び１４を介して第２の害虫駆除部１３及び第３の害虫駆除部１５が回動し、自由端１３Ｆと自由端１５Ｆとを係合させて略リング状となる（図１及び図３参照）際、及び、自由端１３Ｆと自由端１５Ｆとの係合を解除して自由端１３Ｆと自由端１５Ｆとの間に隙間を形成する（図２及び図５参照）際に、第２の害虫駆除部１３及び第３の害虫駆除部１５の回動をガイドするガイド片３９が形成されている。
【００２８】
支持部５０は、一端が第２の害虫駆除部１３に着脱可能に設けられ、他端が、脚部２００が設置される設置面に載置される支持脚５１と、一端が第３の害虫駆除部１５に着脱可能に設けられ、他端が、脚部２００が設置される設置面に載置される支持脚５２から構成されている。支持脚５１と支持脚５２は、同じ形状を有しており、本実施の形態では、図１０に示すように、１本のステンレス製の針金を略コ字状に加工して、その両先端５３Ａ及び５３Ｂ（５４Ａ及び５４Ｂ）を内側に約９０度折り曲げた形状を有している。
【００２９】
支持脚５１は、先端５３Ａと先端５３Ｂとが、互いに近づく方向に弾性変形し、この状態で、第２の害虫駆除部１３に形成された係止部４５Ａ及び４５Ｂに挿入された後、弾性復元することで係止部４５Ａ及び４５Ｂに係止される。なお、支持脚５２も同様に、先端５４Ａ及び５４Ｂが、第３の害虫駆除部１５に形成された係止部４６Ａ及び４６Ｂに係止される。
【００３０】
なお、前述した本体１０を構成する材料として使用される樹脂としては、例えば、ポリアセタール樹脂、ポリアミド樹脂、アクリロニトリル・ブタジエン・スチレン共重合体（ＡＢＳ樹脂）、ポリスチレン（ＰＳ）、ポリエチレン（ＰＥ）、ポリプロピレン（ＰＰ）、ポリカーボネート（ＰＣ）、塩化ビニル樹脂（ＰＶＣ）、ポリブチレンテレフタレート（ＰＢＴ）、ポリエチレンテレフタレート（ＰＥＴ）、ポリフェニレンオキシド（ＰＰＯ）、及びこれらの樹脂にエストラマーを混合した熱可塑性エストラマーの少なくとも１種の樹脂等が選択される。
【００３１】
さらに、前記樹脂には、当該樹脂に対して害虫駆除成分を溶解保持し、徐放性を付与する作用を有するための化合物を含めることがより好ましい。このような化合物としては、例えば、スルホンアミド誘導体、スルホン酸エステル誘導体、カルボン酸アミド誘導体、カルボン酸エステル誘導体より選ばれる少なくとも１種の化合物を挙げることができる。このような化合物を樹脂に含有させることにより、害虫駆除部材１から害虫駆除成分を長期間にわたり放出することが可能となる。
【００３２】
また、害虫駆除成分としては、例えば、薬殺成分、成長制御成分、忌避成分、誘引成分等が挙げられる。具体的には、例えば、害虫駆除活性を有する化合物、殺傷害虫活性を有する化合物、害虫の摂食阻害活性、害虫の成長コントロール活性を有する化合物等を挙げることができる。
【００３３】
このような害虫駆除効果を発揮する化合物としては、例えば、イミダクロプリドの様なクロロニコチニル系殺虫剤、シラフルオフェンの様なケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、dl,d-T80−アレスリン、d-T80-レスメトリン、バイオアレスリン、d-T80-フタルスリン、フタルスリン、レスメトリン、フラメトリン、プロパスリン、ペルメトリン、アクリナトリン、エトフェンプロックス、トラロメトリン、フェノトリン、d-フェノトリン、フェンバレレート、エンペントリン、プラレトリン、テフルスリン、ベンフルスリン等のピレスロイド系化合物、ジクロロボス、フェニトロチオン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。また、メトプレン、ピリプロキシフェン、キノプレン、ハイドロプレン、デオヘノラン、NC-170、フルフェノロクスロン、ジフルベンズロン、ルフェヌロン、クロルアズロン等の小動物の成長をコントロールする活性を有する化合物が挙げられる。また、殺ダニ剤としてケルセン、クロルフェナビル、デブフェンピラドピリダベン、ミルベメクチン、フェンピロキシメート、殺鼠剤としてはシリロシド、ノルボマイド、隣化亜鉛、硫酸タリウム、貴隣、アンツー、ワルファリン、エンドサイド、クマリン、クマテトラリン、プロマジオロン、ディフェチアロン等が挙げられる。
【００３４】
次に、本実施の形態にかかる害虫駆除部材１を自動販売機の脚部に設置する際の具体的な動作について説明する。
【００３５】
先ず、本体１０に、支持脚５１及び５２が取付けられていない場合は、本体１０に、支持脚５１及び５２を取付ける。具体的には、先端５３Ａと先端５３Ｂとが互いに近づくように支持脚５１を弾性変形させ、この状態で、先端５３Ａ及び５３Ｂを、第２の害虫駆除部１３に形成された係止部４５Ａ及び４５Ｂの傾斜面４８Ａ及び４８Ｂに沿って、それぞれ奥部に侵入させる。次に、支持脚５１の弾性変形を解除して弾性復元させることで、先端５３Ａ及び５３Ｂを、係合爪４９Ａ及び４９Ｂに各々係合させる。なお、支持脚５２の先端５４Ａ及び５４Ｂも同様に、第３の害虫駆除部１５に形成された係止部４６Ａ及び４６Ｂに係止させる。
【００３６】
次に、自動販売機の脚部２００に害虫駆除部材１を設置する際は、第２の害虫駆除部１３の自由端１３Ｆに形成された係合孔４３と、第３の害虫駆除部１５の自由端１５Ｆに形成された係合爪４２との係合を解除して自由端１３Ｆと自由端１５Ｆとを離間させ、この部分を開状態とする。（図２及び図５参照）。
【００３７】
次いで、この害虫駆除部材１を脚部２００に接近させ、開状態となった自由端１３Ｆと自由端１５Ｆとの間に形成された隙間から、脚部２００を開口部１９に挿入させる。（図９参照）。この時、支持脚５１及び５２の下端を、脚部２００が設置されている設置面に載置した状態とする。この状態から脚部２００に円弧状連結部２４を押し当てると、第２の害虫駆除部１３及び第３の害虫駆除部１５が、ヒンジ部１２及び１４を介して、その自由端１３Ｆ及び１５Ｆを閉じる方向に回動する。この動作により、第１の害虫駆除部１１の背面に形成された一対の支持壁４０Ａ及び４０Ｂの間にガイド片３９が挿入されて、前記回動を誘導し、円弧状連結部２４を第１の害虫駆除部１１の内周部２６に接近させ、円弧状連結部２４が内周部２６に当接して、内周部２６が円弧状連結部２４と共に脚部２００を押圧する。この動作により、円弧状連結部２４に形成された係合爪３４及び３５が、第１の害虫駆除部１１の背面に形成された係合爪３６及び３７に弾発的に係合し、自由端１３Ｆに形成された係合孔４３に、自由端１５Ｆに形成された係合爪４２が係合して、自由端１３Ｆと自由端１５Ｆとが連結されて閉状態となり、害虫駆除部材１が脚部２００に設置される。（図８参照）。
【００３８】
以上の方法により、脚部２００に設置された害虫駆除部材１は、開口部１９を画定する内壁面２３、内壁面２５及び円弧状連結部２４によって、脚部２００を把持すると共に、支持脚５１及び５２によって、脚部２００の設置面上に支持されることで、脚部２００に設置される。したがって、設置が簡単であると共に、害虫駆除部材１が、その取付け位置から下方にずれたり、落下することがない。したがって、例えば、図８及び図９に示すように、上方から下方に向けて細くなる形状（径が短くなる略円錐形状）の脚部２００に害虫駆除部材１を設置する場合であっても、初期の取付け位置を維持した状態で簡単に設置することができ、害虫の侵入を効率よく防止することができる。
【００３９】
また、本体１０に設置された支持脚５１及び５２は、開口部１９の近傍（脚部２００近傍）に配設されるため、仮に、害虫が支持脚５１及び５２を這い上がって本体１０に到達したとしても、この本体１０に到達した害虫は、さらに前進することで虫返し部１６〜１８に到達することになる。したがって、害虫は、ここで落下、あるいは前進が停止させられることになるため、対象物に侵入することを効率よく防止することができる。
【００４０】
なお、本実施の形態では、支持部５０を、ステンレス製の針金から形成された２本の支持脚５１及び５２により構成した場合について説明したが、これに限らず、支持脚５１及び５２は、本体１０と同様の材料、または他の材料から形成してもよい。また、支持脚５１及び５２は、脚部２００の設置面に対し、本体１０を支持可能であれば、板状、円柱状等、他の形状を備えていてもよい。そしてまた、支持脚は、脚部２００の設置面に対し、本体１０を支持可能であれば、１本であってもよく、３本以上であってもよい。そしてまた、支持脚５１及び５２の本体１０に対する設置位置は、虫返し部１６〜１８の害虫を落下させる、あるいは前進を停止させる効果を最大限に発揮させるため、脚部２００の近傍に設置することが好ましいが、この設置位置は特に限定されるものではなく、支持脚５１及び５２は任意の位置に設置することができる。
【００４１】
また、本実施の形態では、本体１０に対し、支持脚５１及び５２を着脱可能に構成した場合について説明したが、これに限らず、支持脚５１及び５２は、本体１０と一体的に形成してもよい。また、本体１０とは別部材に形成した支持脚５１及び５２を、本体１０に接着や溶接する等して固定してもよい。
【００４２】
なお、支持部５０は、本発明にかかる害虫駆除部材用支持具として、本体１０とは独立した部材として取り扱うこともできる。
【図面の簡単な説明】
【００４３】
【図１】本発明の実施の形態にかかる害虫駆除部材の斜視図であって、第２の害虫駆除部の自由端と第３の害虫駆除部の自由端とを係合させて閉状態にした図である。
【図２】本発明の実施の形態にかかる害虫駆除部材の斜視図であって、第２の害虫駆除部の自由端と第３の害虫駆除部の自由端との係合を解除して開状態にした図である。
【図３】本発明の実施の形態にかかる害虫駆除部材の背面図であって、第２の害虫駆除部の自由端と第３の害虫駆除部の自由端とを係合させて閉状態にした図である。
【図４】図３に示す害虫駆除部材の側面図である。
【図５】本発明の実施の形態にかかる害虫駆除部材の背面図であって、第２の害虫駆除部の自由端と第３の害虫駆除部の自由端との係合を解除して開状態にした図である。
【図６】図５に示す害虫駆除部材の側面図である。
【図７】図３に示すVII−VII線に沿った一部を示す断面図である。
【図８】本発明の実施の形態にかかる害虫駆除部材を脚部に設置した状態を示す斜視図である。
【図９】本発明の実施の形態にかかる害虫駆除部材を脚部に設置する途中の状態を示す斜視図である。
【図１０】本発明の実施の形態にかかる害虫駆除部材の構成要素である支持部の側面図である。
【符号の説明】
【００４４】
１     害虫駆除部材
１０    本体
１１    第１の害虫駆除部
１２、１４    ヒンジ部
１３    第２の害虫駆除部
１３Ｆ、１５Ｆ    自由端
１５    第３の害虫駆除部
１６、１７、１８    虫返し部
１９    開口部
２３、２５    内壁面
２４    円弧状連結部
５０    支持部
５１、５２    支持脚
２００    脚部
【図１】
2008061558.tif 000003
【図２】
2008061558.tif 000004
【図３】
2008061558.tif 000005
【図４】
2008061558.tif 000006
【図５】
2008061558.tif 000007
【図６】
2008061558.tif 000008
【図７】
2008061558.tif 000009
【図８】
2008061558.tif 000010
【図９】
2008061558.tif 000011
【図１０】
2008061558.tif 000012